(57)【要約】【課題】ＨＨ型鋼梁やＩＨ型鋼梁等のＨ型鋼梁に、電線管、計装用のエア管等の配管を固定する際に、短時間で簡単に配管固定作業が行え、且つ耐震強度を備えている、優れた配管サポート固定金具を提供する。【解決手段】先ず最初に、Ｈ型鋼梁３０のフランジ３０Ａに対して第１の係合部材１２のコ字状部１２Ａを係合させてから、第１の係合部材１２と一体化した連結棒１６の長尺端部を第２の係合部材１４の貫通穴１４Ｃに貫入させる。そして、各係合部材１２，１４の対面距離を調整して、ハードロックナット２０で固定する。次に、第２の係合部材１４に設けられた固定部材２２の配管固定バンド２４、Ｃ型チャンネル材２６、及び締付ボルト２８でもって配管４０を固定部材２２に固定することにより、配管４０がＨ型鋼梁３０に固定される。【選択図】    図２
2004328881.tif 000002
【特許請求の範囲】
【請求項１】
Ｈ型鋼梁に配管を固定する配管サポート固定金具であって、
前記Ｈ型鋼梁のフランジ端部に係合するコ字状部を備えた一対の係合部材と、前記コ字状部同士の凹側が対面する距離を拡縮可能なように前記一対の係合部材同士を連結する連結棒と、
前記係合部材に設けられ、前記配管を固定する固定部材と、
を備えたことを特徴とする配管サポート固定金具。
【請求項２】
前記係合部材に設けられ、前記フランジ端部に係合されたコ字状部との間でフランジ面を挟持する挟持部材を設けたことを特徴とする請求項１の配管サポート固定金具。
【発明の詳細な説明】
【０００１】
【発明の属する技術分野】
本発明は配管サポート固定金具に係り、特にフランジを有するＨ型鋼梁に配管固定作業を行うための配管サポート固定金具に関する。
【０００２】
【従来の技術】
従来、原子力発電所等のコンクリート建屋の天井部を形成する場合、天井となる面にコンクリート型枠としてデッキプレートを敷設し、その上に鉄筋を配筋してから生コンクリートを流して天井部を形成する。又、デッキプレートを受ける梁としてＨ型鋼梁が使用されることが多い。
【０００３】
このＨ型鋼梁に対して電線管や計装用のエア配管等の配管を固定する場合、前記Ｈ型鋼梁を構成するウェブ又はフランジに対して直接溶接して固定を行う方法が一般的である。又、前記ウェブ又はフランジに穴加工を施して、配管固定具を直接前記Ｈ型鋼梁に固定してから配管固定を行う方法も多く用いられている。
【０００４】
Ｈ型鋼梁に配管を固定する配管サポート固定金具ではないが、Ｈ型鋼梁のフランジを利用してＨ型鋼梁と胴縁との固定を簡略化する方法を開示した型鋼梁と胴縁との取付金具（特許文献１）が開示されている。この型鋼梁と胴縁との取付金具は、フランジをする溝状把持部と、該溝状把持部に設けた締付ネジと、該溝状把持部から側方に張り出した胴縁取付部と、で構成されており、締付ネジを締め付けることにより、Ｈ型鋼梁に加工を施すことなく前記胴縁を固定することができる。
【０００５】
【特許文献１】
特開平７−２７９２６４号公報
【０００６】
【発明が解決しようとする課題】
しかしながら、Ｈ型鋼梁に直接溶接や穴加工を行って配管固定する方法では、作業時に高度な技術が必要とされる。又、配管を固定する作業までには、下地処理や仕上げ処理等の付帯作業が多く存在するので、時間と手間を要する。いくら作業者が熟練していたとしても、溶接や加工で発生する歪み等により取付位置のずれは生じてしまうので、その修正を行う時間と手間を割かなくてはならない。更に、火気や刃物を取り扱うので作業者に危険が伴う上、固定作業を行う場所が制限されてしまう。
【０００７】
又、特許文献１の取付金具を、Ｈ型鋼梁に配管を固定する配管サポート固定金具として使用した場合、Ｈ型鋼梁のフランジ面とは締付ネジのみなので前記固定金具と前記フランジ面との接触面積が小さく、地震等で発生する振動により前記固定金具にずれが生じてしまうという欠点がある。
【０００８】
本発明は、このような事情に鑑みてなされたもので、Ｈ型鋼梁に、電線管、計装用のエア管等の配管を固定する際に、高度な技術を要しないで短時間で簡単に配管固定作業が行え、且つ耐震強度を備えている、優れた配管サポート固定金具を提供することを目的とする。
【０００９】
【課題を解決するための手段】
本発明の請求項１では前記目的を達成するために、Ｈ型鋼梁に配管を固定する配管サポート固定金具であって、前記Ｈ型鋼梁のフランジ端部に係合するコ字状部を備えた一対の係合部材と、前記コ字状部同士の凹側が対面する距離を拡縮可能なように前記一対の係合部材同士を連結する連結棒と、前記係合部材に設けられ、前記配管を固定する固定部材と、を備えたことを特徴とする。
【００１０】
本発明によれば、配管サポート固定金具をＨ型鋼梁のフランジに固定する場合、一対の係合部材を連結棒に連結してコ字状部同士の凹側が対面する距離を拡縮して、フランジ両端に一対の係合部材のコ字状部を係合させ、フランジ両端を一対の係合部材で挟み付ける。この状態で一対の係合部材の連結棒に対する連結を固定する。このように、Ｈ型鋼梁のフランジ両端を配管サポート固定金具の一対の係合部材で挟み付けるだけの簡単な操作で、配管サポート固定金具をＨ型鋼梁に簡単に固定することができる。
【００１１】
次に、係合部材に設けられている固定部材を用いて配管を固定することにより、配管は配管サポート固定金具を介してＨ型鋼梁に配管固定される。これらにより、高度な技術を要することなく極めて短時間でＨ型鋼梁への配管固定作業を確実に行え、且つ耐震強度を有した配管固定を行うことができる。
【００１２】
又、請求項２では、請求項１の係合部材に設けられ、前記フランジ端部に係合されたコ字状部との間でフランジ面を挟持する挟持部材を設けたことを特徴とする。
【００１３】
各係合部材のコ字状部に調整可能な挟持部材を設けて、前記各係合部材のコ字状部をＨ型鋼梁のフランジに係合させた後、前記挟持部材を調整してフランジ面を挟持することにより、がたつきのない安定した固定をＨ型鋼梁に対して行うことができる上、フランジ厚の薄いＨ型鋼梁にも対応することができる。
【００１４】
【発明の実施の形態】
以下添付図面に従って、本発明に係わる配管サポート固定金具の好ましい形態について詳説する。
【００１５】
図１は、本発明の配管サポート固定金具の第１の実施の形態の全体構成を示す分解斜視図であり、第２の係合部材に縦方向及び横方向の固定部材を設けた例である。
【００１６】
図１に示すように、配管サポート固定金具１０は、  主に第１の係合部材１２と、第２の係合部材１４と、連結棒１６と、固定部材２２とで構成されている。
【００１７】
第１の係合部材１２は、配管固定を行うＨ型鋼梁のフランジ厚と同じか僅かに広いコ字状部１２Ａを有した部材である。連結棒１６は、概ねＪ字状の形状をした部材であり、連結棒１６の短尺部１６Ａは第１の係合部材１２の下面に溶接固定されている。このように、連結棒１６の形状を概ねＪ字状の形状にすることで、連結棒１６で第１の係合部材１２と第２の係合部材１４を連結したときに、第１の係合部材１２のコ字状部１２Ａと第２の係合部材１４のコ字状部１４Ａとを同じ高さで対面させることができる。また、連結棒１６の長尺部１６Ｂの端部はハードロックナット２０を螺合できるようにネジ加工が施されている。ハードロックナット２０は、上部に凸部を設けた下ナットと、下部に凹部を設けた上ナットとで構成されている。前記下ナット及び上ナットを締め込むことにより前記凸部及び凹部が嵌合するので、経時や振動による緩みが発生し難い、安定した固定を行うことができるナットである。
【００１８】
第２の係合部材１４は、第１の係合部材１２を取り付けるフランジ端部とは反対側のフランジ端部に係合させるもので、コ字状部１４Ａと、固定部材２２を取り付ける係合部材本体１４Ｂとで構成される。この第２の係合部材本体１４Ｂには、連結棒１６の長尺部１６Ｂを挿入させるための貫通穴１４Ｃが穿設されている。また、第２の係合部材１４には、水平方向に配設された配管を固定するための固定部材２２と、垂直方向に配設された配管を固定するための固定部材２２とが取り付けられている。固定部材２２，２２は、主に配管固定バンド２４及びＣ型チャンネル材２６で構成されており、Ｃ型チャンネル材２６の内部に設けられているナット部材を介して配管固定バンド２４を締付ボルト２８で締め込むことにより、配管を固定することができる。尚、第２の係合部材１４と固定部材２２，  ２２とは、予めＣ型チャンネル材２６の図示しないネジ穴に固定ボルト２９を螺合して固定されている。
【００１９】
次に、上記の如く構成された本発明の第１の実施例である配管サポート固定金具１０の作用について説明する。
【００２０】
図２は、配管サポート固定金具１０を用いてＨ型鋼梁に配管を固定した時の側面図である。図２に示すように、原子力発電所等のコンクリート建屋の天井部は、天井となる面にコンクリート型枠としてデッキプレート３２が敷設されており、その上に鉄筋を配筋してからコンクリート３４を流して形成されている。そのデッキプレート３２を支持する梁としてＨ型鋼梁３０が使用されており、Ｈ型鋼梁３０は一対のフランジ３０Ａ，  ３０Ａと、フランジ間を連結するウェブ３０Ｂとで構成されている。
【００２１】
このＨ型鋼梁３０のフランジ３０Ａに配管サポート固定金具１０を用いて垂直方向及び水平方向に配管４０，  ４０を固定するには、先ず最初に第１の係合部材１２に設けられたコ字状部１２Ａを下側のフランジ３０Ａにおける一方側のフランジ端部に係合させたら、第２の係合部材１４に設けられた貫通穴１４Ｃに連結棒１６の長尺部１６Ｂを貫入させる。そして、第２の係合部材１４のコ字状部１４Ａが第１の係合部材１２のコ字状部１２Ａと対面した状態で他方側のフランジ端部に係合するまで、第１の係合部材１２と第２の係合部材との対面距離を調整して、フランジ３０Ａの両端を第１の係合部材１２と第２の係合部材とで挟み付ける。第１及び第２の係合部材１２，  １４のそれぞれのコ字状部１２Ａ，  １４Ａがフランジ３０Ａへ確実に係合されたことを確認したら、ハードロックナット２０を連結棒１６の長尺部１６Ｂのネジに螺合させて固定する。ハードロックナット２０は、前述の通り経時や振動による緩みに対して効果的なナットであるので、ハードロックナット２０をネジ止めして、フランジ３０Ａを第１及び第２の係合部材１２，  １４で左右方向から挟み付けるだけで、配管サポート固定金具１０をフランジ３０Ａに確実に固定することができる。よって、配管サポート固定金具１０は、Ｈ型鋼梁３０に対して簡易で、且つ、耐震性の優れた固定を行うことができる。
【００２２】
こうして、配管サポート固定金具１０をＨ型鋼梁３０に固定したら、次に固定部材２２を用いて配管４０の固定作業を行う。先ず最初に、固定部材２２の配管固定バンド２４で固定する配管４０を保持させる。そして、配管固定バンド２４の一端をＣ型チャンネル材２６内部のナット部材  （図示せず）に締付ボルト２８で締め付けることにより、配管４０が固定部材２２に固定される。こうして、配管４０を配管サポート固定金具１０を介してＨ型鋼梁３０に固定される。
【００２３】
上記のことから、配管サポート固定金具１０において、ハードロックナット２０及び固定部材２２の締付ボルト２８を締め付けるだけで、Ｈ型鋼梁３０に対して高度な技術を要することなく、短時間で耐震性の優れた配管固定を行うことができる。
【００２４】
図３は、本発明の第２の実施の形態である配管サポート固定金具５０の側面図であり、各係合部材１２，  １４に挟持部材を設けた例である。
【００２５】
図３に示すように、配管サポート固定金具５０の主な構成は図１で示した配管サポート固定金具１０と同様であるが、第１及び第２のコ字状部１２Ａ，  １４Ａの上部に挟持部材１８が設けられており、各コ字状部１２Ａ，  １４Ａの大きさは配管固定を行うＨ型鋼梁３０のフランジ３０Ａの厚さよりも大きく構成されている。
【００２６】
挟持部材１８は、各コ字状部１２Ａ，  １４Ａの上部に設けられたネジ穴１８Ｄにネジ部１８Ａが螺合した状態で備え付けられている。ネジ部１８Ａ上端にはピン等の棒材を差し込んで回動させるための差し込み穴１８Ｂが形成される。ネジ部１８Ａ下端にある挟持部１８Ｃは、ネジ穴１８Ｄに螺合したネジ部１８Ａを回動させることにより上下方向に移動してフランジ３０Ａの上面を挟持する板材であり、ネジ部１８Ａの回動に対して空回りする状態で取り付けられている。
【００２７】
次に、上記の如く構成された本発明の第２の実施例である配管サポート固定金具５０の作用について説明する。
【００２８】
図４は、配管サポート固定金具５０を用いてＨ型鋼梁３０に配管固定した時の側面図である。図４に示すように、Ｈ型鋼梁３０に設けられたフランジ３０Ａの両端に第１の係合部材１２のコ字状部１２Ａと、第２の係合部材１４のコ字状部１４Ａとを係合させて、ハードロックナット２０で固定するまでは第１の実施の形態と同様である。
【００２９】
次に、図示しないピンを第１及び第２の係合部材１２，  １４に設けられた各挟持部材１８の差し込み穴１８Ｂに差し込んで、そして、挟持部１８Ｃがフランジ３０Ａに当接するまでネジ部１８Ａを回動させる。これにより、各係合部材１２，  １４の各コ字状部１２Ａ，  １４Ａと挟持部材１８の挟持部１８Ｃとでフランジ３０Ａを挟持するので、各係合部材１２，  １４がフランジ３０Ａに確実に固定される。
【００３０】
従って、第１及び第２の係合部材１２，  １４による左右からの挟み付け力の他に、各挟持部材１８によるフランジ３０Ａへの上下方向からの挟持力も付加されるので、配管サポート固定金具５０をＨ型鋼梁３０に対してがたつきが生じない、より安定した状態で固定することができる。更に、挟持部材１８では挟持部１８Ｃを上下に位置調整をすることができるので、各コ字状部１２Ａ，  １４Ａよりも薄くて様々な厚みのフランジ３０Ａを有するＨ型鋼梁３０に対応することができる。
【００３１】
尚、上述した配管サポート固定金具１０，  ５０において、各部材の個数、形状、材質等は特に限定するものではない。又、固定部材２２を第２の係合部材１４に垂直及び水平方向に固定ボルト２９で固定しているが特に限定するものではなく、第１の係合部材１２に設けてもよいし、所望する配管固定方向に、溶接等で予め各係合部材１２，  １４に固定しておいてもよい。更に、連結棒１６の形状も特に限定するものではなく、直線状の鋼材の一方にブロックを設けて第１の係合部材に固定してもよい。
【００３２】
連結棒１６及び挟持部材１８において、位置調整し固定する方法としてネジ機構を用いたが、特に限定するものではない。簡単に調整できて確実に固定できるものであればよい。又、挟持部材１８の挟持部１８Ｃは、ネジ部１８Ａが太ければフランジ面と接触する面積が大きいので、省いてもよい。
【００３３】
【発明の効果】
以上説明したように、本発明の配管サポート固定金具によれば、Ｈ型鋼梁に、電線管、計装用のエア管等の配管を固定する際に、高度な技術を要することなく、短時間で簡単に配管固定作業を行うことができ、且つ耐震強度にも優れている。
【図面の簡単な説明】
【図１】本発明の第１の実施例である配管サポート固定金具の分解斜視図
【図２】本発明の第１の実施例である配管サポート固定金具を用いてＨ型鋼梁に配管固定した時の側面図
【図３】本発明の第２の実施例である配管サポート固定金具の側面断面図
【図４】本発明の第２の実施例である配管サポート固定金具を用いてＨ型鋼梁に配管固定した時の側面図
【符号の説明】
１０、５０…配管サポート固定金具、１２…第１の係合部材、１２Ａ…第１のコ字状部、１４…第２の係合部材、１４Ａ…第２のコ字状部、１４Ｃ…貫通穴、１６…連結棒、１８…挟持部材、１８Ａ…ネジ部、１８Ｂ…差し込み穴、１８Ｃ…挟持部、１８Ｄ…ネジ穴、２０…ハードロックナット、２２…固定部材、２４…配管固定バンド、２６…Ｃ型チャンネル材、２８…締付ボルト、２９…固定ボルト、３０…Ｈ型鋼梁、３０Ａ…フランジ、３０Ｂ…ウェブ、３２…デッキプレート、３４…コンクリート、４０…配管
【図１】
2004328881.tif 000003
【図２】
2004328881.tif 000004
【図３】
2004328881.tif 000005
【図４】
2004328881.tif 000006